(57)【要約】【課題】ドーム部での異音の発生を抑制し、操作性に優れたドーム型スイッチを提供する。【解決手段】ドーム状に加工されたドーム部２を有する表面シート１と、前記ドーム部２を押し下げる事により動作するスイッチ本体４とを備え、前記表面シート１の前記ドーム部２の周縁と平面部Ｘとが交わる部分の近傍に吸音材３を配したもので、スイッチ操作の為にドーム部２を押し下げて変形させた状態より、押下前の形状に戻る際に発生する異音が前記吸音材３で吸収緩和され、スイッチ操作時の快適性を向上させることができる。【選択図】図１ 
2005251494.tif 000002
【特許請求の範囲】
【請求項１】
ドーム状に加工されたドーム部を有する表面シートと、前記ドーム部を押し下げる事により動作するスイッチ部とを備え、前記表面シートの前記ドーム部の周縁と平面部とが交わる部分の近傍に吸音材を配したドーム型スイッチ。
【請求項２】
表面シートの表側に吸音材を配した請求項１記載のドーム型スイッチ。
【発明の詳細な説明】
【技術分野】
【０００１】
本発明は、各種電気機器、装置など使用されるクリックタイプのドーム型スイッチに関するものである。
【背景技術】
【０００２】
従来のこの種のドーム型スイッチとして、図５に示されるようなものがあった。
【０００３】
図において、ポリエステルフィルム等の熱可塑性樹脂に、ドーム状にエンボス加工してドーム部２を形成した表面シート１を有する上層部Ａを、前記ドーム部２に対応し、且つ、押下に必要なストロークを有した位置に間隔を有して接点７を有するスイッチ（本既存の背景技術おいてはメンブレンスイッチ）の下層部Ｂ上に接着してある（例えば、特許文献１参照）。
【特許文献１】特開平７−３１２１３７号公報
【発明の開示】
【発明が解決しようとする課題】
【０００４】
しかしながら、前記従来のドーム型スイッチの構成では、押下され変形した表面シート１のドーム部２が押下前の形状に戻る際に異音が発生する場合があった。特に、ストロークの長いドーム型スイッチにおいては顕著であり、ともすると、異音の発生は、押下操作後、数秒から数分後であり、機器操作の快適性を損なうものであった。
【０００５】
本発明は、上記従来の課題を解決するもので、ドーム部の押し下げ時の異音の発生を抑制したドーム型スイッチを提供することを目的とする。
【課題を解決するための手段】
【０００６】
前記従来の課題を解決するために、本発明のドーム型スイッチは、ドーム状に加工されたドーム部を有する表面シートと、前記ドーム部を押し下げる事により動作するスイッチ部とを備え、前記表面シートの前記ドーム部の周縁と平面部とが交わる部分の近傍に吸音材を配したもので、スイッチ操作の為にドーム部を押し下げて変形させた状態より、押下前の形状に戻る際に発生する異音が前記吸音材で吸収緩和され、スイッチ操作時の快適性を向上させることができる。
【発明の効果】
【０００７】
本発明のドーム型スイッチは、表面シートに設けた吸音材により、スイッチ操作時に押し下げたドーム部が元の形状に復帰する際に発生する異音を吸収緩和し、快適に操作ができるものである。
【発明を実施するための最良の形態】
【０００８】
第１の発明は、ドーム状に加工されたドーム部を有する表面シートと、前記ドーム部を押し下げる事により動作するスイッチ部とを備え、前記表面シートの前記ドーム部の周縁と平面部とが交わる部分の近傍に吸音材を配したもので、スイッチ操作の為にドーム部を押し下げて変形させた状態より、押下前の形状に戻る際に発生する異音が前記吸音材で吸収緩和され、スイッチ操作時の快適性を向上させることができる。
【０００９】
第２の発明は、特に、第１の発明の表面シートの表側に吸音材を配したもので、スイッチ操作の為にドーム部を押し下げて変形させた状態より、押下前の形状に戻る際に発生する異音が前記吸音材で吸収緩和され、スイッチ操作時の快適性を向上させることができる
と共に、スイッチの視認性、デザイン性の向上を図ることができる。
【００１０】
以下、本発明の実施の形態について、図面を参照しながら説明する。なお、本実施の形態によって本発明が限定されるものではない。
【００１１】
（実施の形態１）
図１（ａ）は、本発明の第１の実施の形態におけるドーム型スイッチの断面図で、（ｂ）は、同ドーム型スイッチのドーム部の部分下面図である。
【００１２】
図において、ポリエステルフィルム等の熱可塑性樹脂に、ドーム状にエンボス加工してドーム部２を形成した表面シート１を、そのドーム部２の凸面が表側（押下面）になるように配し、表面シート１の裏面に配した両面テープ６にて、機器本体５に貼付されている。前記ドーム部２を押し下げる事で動作するスイッチ部となる押下式のスイッチ本体４は、ドーム部２の中心と同心円上の下部で、押下に必要なストロークを確保した機器本体５上の位置に設置されている。
【００１３】
前記表面シート１の裏面のドーム部２の周縁と平面部Ｘと交わる部分の近傍には、シリコンゴム等の柔性を有する樹脂をポッテイング加工等で付加した吸音材３がドーム部２と同心のリング状に形成されている。
【００１４】
以上のように構成されたドーム型スイッチにおいて、ドーム部２を押下操作をした場合、押下によって変形したドーム部２が、押下前の形状に戻る際に発生する異音を吸音材３により吸収緩和される。
【００１５】
なお、上記実施の形態では、吸音材３をドーム部２の周縁と平面部Ｘと交わる部分より平面部側に設けたが、図２に示すように、ドーム部２側に設けても良い。
【００１６】
また、上記実施の形態では、吸音材３を連続して設けたが、図３に示すように、複数に分割してリング状に配しても良い。
【００１７】
（実施の形態２）
図４（ａ）は、本発明の第２の実施の形態におけるドーム型スイッチの部分天面図、（ｂ）は、同ドーム型スイッチの断面図である。
【００１８】
図において、第１の実施形態と同様に、ポリエステルフィルム等の熱可塑性樹脂に、ドーム状にエンボス加工してドーム部２を形成した表面シート１を、凸面を表側（押下面）にして配し、表面シートの裏面に配した両面テープ６にて、機器本体５に貼付されている。押下式のスイッチ本体４は、ドーム部２の中心と同心円上の下部で、押下に必要なストロークを確保した機器本体５上の位置に設置されている。
【００１９】
本実施の形態では、表面シート１の表面の、ドーム部２の周縁と平面部Ｙと交わる部分の近傍に、シリコンゴム等の柔性を有した樹脂をポッテイング加工等で付加した吸音材８をドーム部２と同心のリング状に形成したものである。
【００２０】
以上のように構成されたドーム型スイッチにおいて、ドーム部２を押下操作をした場合、その押下によって変形したドーム部２が押下前の形状に戻る際に発生する異音が吸音材８により吸収緩和が図れる。また吸音材８を蓄光性を有する樹脂にて形成することにより、併せて、スイッチの視認性、デザイン性の向上を図ることもできる。
【産業上の利用可能性】
【００２１】
本発明のドーム型スイッチは、クリック感を損なうこと無く、異音の少ない快適なＯＮ・ＯＦＦの操作が可能となるので、ドーム部を押し下げて動作させるスイッチ機能を有するあらゆる機器に適用可能である。
【図面の簡単な説明】
【００２２】
【図１】（ａ）本発明の第１の実施の形態におけるドーム型スイッチの断面図、（ｂ）同ドーム型スイッチのドーム部の部分下面図
【図２】ドーム型スイッチの他の例を示す断面図
【図３】ドーム型スイッチの他の例を示す表面シートの裏面図
【図４】（ａ）本発明の実施の形態２におけるドーム型スイッチの部分上面図、（ｂ）同ドーム型スイッチの断面図
【図５】従来のドーム型スイッチの部分断面図
【符号の説明】
【００２３】
１  表面シート
２  ドーム部
３  吸音材
４  スイッチ本体（スイッチ部）
５  機器本体
【図１】
2005251494.tif 000003
【図２】
2005251494.tif 000004
【図３】
2005251494.tif 000005
【図４】
2005251494.tif 000006
【図５】
2005251494.tif 000007